(57)【特許請求の範囲】
【請求項１】
球形タンクの緊急用散水設備として、消防車の消防放水により供給される消防水を受ける水受け皿を球形タンクの頂部位置に設置し、該球形タンクを支える各支柱の上部位置から経線に沿った位置の上記水受け皿に開口を設け、この開口から各支柱の上端部に向けて分散する導水管を設け、この導水管の端部で各支柱の上端部に放散カップを設け、この放散カップの下部から支柱外周表面に沿って水を散水するように形成したことを特徴とするタンクの散水設備。
【請求項２】
球形タンクの緊急用散水設備として、消防車の消防放水により供給される消防水を受ける水受け皿を球形タンクの頂部位置に設置し、この水受け皿の底壁の外周近傍位置に球殻体の全体表面にわたって消防散水する複数の細穴を設け、この複数の細穴から前記消防水を球形タンクの全体表面にわたって散水するように形成し、上記消防車からの消防放水を受けるように上記水受け皿は頂部作業床に囲まれた内部に設けたことを特徴とするタンクの散水設備。
【発明の詳細な説明】
【技術分野】
【０００１】
この発明は、圧縮ガス、液化ガス、液体の危険物を貯蔵するタンクの散水設備に関するものである。
【背景技術】
【０００２】
特許文献１の実開昭６０−４１３９３号「貯槽の屋根構造」には、従来例１の図５に示すように、頂部に散水装置１を有した貯槽屋根３の上面に堰板４を設けることにより、水の分散を良好にすると共に、水の流下速度を遅くして層厚を増大させることにより、均一且つ効果的な貯槽２の冷却を行い、貯槽２の安全性の向上をはかる考案技術が開示されている。
【０００３】
特許文献２の特開平１１−２０８９４号「タンク」には、従来例２の図６に示すように、槽本体５の上端に固定された屋根６をドーム状に形成したタンク１において、槽本体５の上端部近傍外周に、屋根６の外周を囲むよう、底板１８と該底板１８の槽本体５径方向外方に設けられた壁１７からなる断面形状が略Ｌ字形の樋１９を取り付け、樋１９の底板１８に形成された排水口２０に樋１９から水を排水するための排水管２１を接続する構成が開示されている。
【０００４】
特許文献３の特開平１１−２５７５９８号には、従来例３の図７に示すように、球形タンク２の下方に位置したタンク基礎３の内側に水槽４を設置し、この水槽４はタンク基礎３の少なくとも一部を利用することで、球形タンク２の設置スペースを立体的に利用する散水装置を設けた球形タンク用貯水槽が開示されている。
【０００５】
特許文献４の特願２０１０−１０５４１８号「貯槽の屋根散水設備の構造」には、従来例４の図８に示すように、屋根散水設備４からの散水を側壁面３にも流下するように流路を変更させる散水構造６であって、この散水構造６は、ガイド板状のバッフル板７と取付け部材８とで一体化し、強力な永久磁石９を用いて屋根周縁部５へ固定する構成が開示されている。
【先行技術文献】
【特許文献】
【０００６】
【特許文献１】実開昭６０−４１３９３号公報
【特許文献２】特開平１１−２０８９４号公報
【特許文献３】特開平１１−２５７５９８号公報
【特許文献４】特願２０１０−１０５４１８号「貯槽の屋根散水設備の構造」
【発明の概要】
【発明が解決しようとする課題】
【０００７】
特許文献１の実開昭６０−４１３９３号「貯槽の屋根構造」の従来例１の図５の構造は、貯槽屋根３の上面に設けた堰板４で散水装置１からの水による貯槽２の冷却を効果的に行うものであるが、タンクの特定部位の冷却を促進するものではない。
【０００８】
特許文献２の特開平１１−２０８９４号「タンク」の従来例２の図６の構造は、屋根から雪の塊が落下したり屋根の外周肩部や歩廊の踏板に氷柱が発生することを防止するものであって、側壁の部分を重点的に散水冷却するものではない。
【０００９】
特許文献３の特開平１１−２５７５９８号の従来例３の図７は、タンク基礎３を利用した水槽４からポンプ１４で球形タンク２に散水できるものであるが、支柱に対して重点的に散水して冷却する考え方、技術思想は、今までに全くなかった。
【００１０】
特許文献４の特願２０１０−１０５４１８号「貯槽の屋根散水設備の構造」の従来例４の図８は、貯槽の屋根天頂部近傍に設けた散水設備からの散水が飛散することなく側壁に沿って効率良く流下するようにしたものであるが、タンクの特定部分に重点的に散水して冷却するものではない。
【００１１】
この発明は上述のような従来技術が有する問題点に鑑みてなされたもので、その目的とするところは、近隣火災などでタンクが高い熱を受ける際に、通常の散水装置が故障したり散水量が不足した時に、緊急用散水設備として、消防車による外部からの消防水を受けてタンク全体の冷却や消火に使用するか、或いはタンク支柱等の特定部位が高熱に曝され座屈することがないように、タンク支柱等の特定部位を重点的に散水冷却するために使用するタンクの散水設備を提供することにある。
【課題を解決するための手段】
【００１３】
請求項１の発明に係るタンクの散水設備は、球形タンクの緊急用散水設備として、消防車の消防放水により供給される消防水を受ける水受け皿を球形タンクの頂部位置に設置し、該球形タンクを支える各支柱の上部位置から経線に沿った位置の上記水受け皿に開口を設け、この開口から各支柱の上端部に向けて分散する導水管を設け、この導水管の端部で各支柱の上端部に放散カップを設け、この放散カップの下部から支柱外周表面に沿って水を散水するように形成したことを特徴とする。
【００１４】
請求項２の発明に係るタンクの散水設備は、球形タンクの緊急用散水設備として、消防車の消防放水により供給される消防水を受ける水受け皿を球形タンクの頂部位置に設置し、この水受け皿の底壁の外周近傍位置に球殻体の全体表面にわたって消防散水する複数の細穴を設け、この複数の細穴から前記消防水を球形タンクの全体表面にわたって散水するように形成し、上記消防車からの消防放水を受けるように上記水受け皿は頂部作業床に囲まれた内部に設けたことを特徴とする。
【発明の効果】
【００１６】
請求項１の発明に係るタンクの散水設備は、球形タンクの緊急用散水設備として、消防車の消防放水により供給される消防水を受ける水受け皿を球形タンクの頂部位置に設置し、該球形タンクを支える各支柱の上部位置から経線に沿った位置の上記水受け皿に開口を設け、この開口から各支柱の上端部に向けて分散する導水管を設け、この導水管の端部で各支柱の上端部に放散カップを設け、この放散カップの下部から支柱外周表面に沿って水を散水するように形成したので、消防水によって各支柱が直接冷却されるため、近隣火災の高熱によって支柱が高温に曝されて熱劣化や破裂などして球形タンクが倒壊することがない。
【００１７】
請求項２の発明に係るタンクの散水設備は、球形タンクの緊急用散水設備として、消防車の消防放水により供給される消防水を受ける水受け皿を球形タンクの頂部位置に設置し、この水受け皿の底壁の外周近傍位置に球殻体の全体表面にわたって消防散水する複数の細穴を設け、この複数の細穴から前記消防水を球形タンクの全体表面にわたって散水するように形成し、上記消防車からの消防放水を受けるように上記水受け皿は頂部作業床に囲まれた内部に設けたので、近隣火災発生時に消防車からの消防放水をこぼれないように受けて、通常の散水装置が故障したり散水量が不足した時に、緊急用散水設備として、消防車からの放水を水受け皿に受けて球形タンクの球殻体全体表面の冷却や消火に使用することができるため、火災発生時や近隣火災などで球形タンク全体表面が高い熱を受ける際に球形タンク倒壊による二次災害の拡大を防止することが可能となる。
【図面の簡単な説明】
【００１８】
【図１】この発明に係るタンクの散水設備であって、球形タンクを事例としてタンク全体表面に散水するように形成した場合を示す説明図である。
【図２】この発明に係るタンクの散水設備であって、球形タンクを事例として球形タンクの各支柱に散水するように形成した場合を示す説明図である。
【図３】図２の要部を示す斜視説明図である。
【図４】図２の要部を示す斜視説明図である。
【図５】従来例１の散水装置と堰板を設けた貯槽の屋根構造を示す説明図である。
【図６】従来例２の貯槽屋根の散水を樋に受けて排水する構造を示す説明図である。
【図７】従来例３の球形タンクの散水と水槽を示す斜視説明図である。
【図８】従来例４の貯槽屋根の散水を側壁に沿って平均に流下させる構造を示す説明図である。
【発明を実施するための形態】
【００１９】
本発明に係るタンクの散水設備の実施形態の事例について図面を参照しながら説明する。本発明は下記の実施形態にのみ限定されるものではない。本発明の要旨を逸脱しない範囲で下記の実施形態に変更（例えば構成要素の省略又は付加、構成要素の形状の変更等）を加えることが出来るのはもちろんである。なお、図の球形タンクは概略を示すもので、複数の支持部のうちの一部のみを描き、またブレーシング等は省略した。
【００２０】
図１に基づいて、本発明に係る散水設備を球形タンク１に適用した事例について説明する。
球形タンク１の球殻体４は、基版２の複数の基礎３と、この基礎３上に設置された複数の支柱５とによって支持されている。
６は一般的な散水装置で、球殻体４を冷却するようにリング状に配置されている。７は頂部に設置されている頂部作業床である。
この発明によるタンクの散水設備は、球形タンク１の頂部位置に水受け皿８を設置し、この水受け皿８内へ連結送水管１２を経由して消防水を受けるように形成する。水受け皿８の底壁の外周近傍位置には複数の細穴を設け、消防散水１２ａに示すように給水された消防水を球殻体４の全体表面にわたって散水するように形成する。
【００２１】
このように、水受け皿８の細穴から球殻体４の全体表面に散水することにより、通常の散水装置６が故障したり散水量が不足した時に、緊急用散水設備として、連結送水管１２による外部からの水を連続的に受けて冷却や消火に使用することができるため、火災発生時や近隣火災などで球形タンクが高い熱を受ける際に、タンク倒壊から生じる漏洩や延焼などの二次災害の拡大を防止することが可能となる。
【００２２】
図２に基づき、消防水を受けてタンクの特定部位を重点的に冷却する事例、緊急用散水設備の事例として、図１と同様の球形タンク１の支柱５への散水に適用した場合について説明する。
本発明に係るタンクの散水設備は、水受け皿８と導水管９と放散カップ１０とで形成する。水受け皿８は、側壁８ａと底壁８ｂとで受け皿状に形成し、頂部作業床７を利用してその内部に設ける。
導水管９は、各支柱５の上部位置の放散カップ１０から経線に沿って水受け皿８の底部に向けて球殻体４の上面に配設する。１１はシャワー水で、放散カップ１０から支柱５の周囲表面に沿って均一に放散されるように形成する。
【００２３】
図３は、図２の水受け皿８の近傍を示す斜視説明図である。
水受け皿８は、側壁８ａと底壁８ｂとで受け皿状に形成し、頂部作業床７を利用してその内部に設ける。
導水管９は、各支柱の上部位置から経線に沿った位置の水受け皿８に開口９ａを設け、この開口９ａから各支柱の上端部に向けて球殻体４上面に配設する。
消防水としては、図３のように消防車など外部手段による消防放水１３が供給される場合を示す。この消防放水１３をこぼれないように頂部作業床７に囲まれた内部の水受け皿８へ受けて、開口９ａから導水管９を経て各支柱５へ給水し確実に散水されるように形成する。
【００２４】
図４は、図２の放散カップ１０の近傍を示す斜視説明図である。
球殻体４上面に配設した導水管９の下端位置、各支柱５の取付部５ａの外面全体を覆う位置に放散カップ１０を設ける。この放散カップ１０の下部は、取付部５ａの張出し部を覆うように湾曲したカバー１０ａと下部を絞ったガイド１０ｂを設ける。このガイド１０ｂの内部には、図示はしないが水を平均に分散させる細穴やスリットなどを設けておく。
導水管９を通って降下した消防水は、放散カップ１０のカバー１０ａ内を通ってガイド１０ｂから均一なシャワー水１１となって支柱５の周囲表面に沿って放出される。
【００２５】
このように、一般的な散水装置とは別個に設けた特定部位用の散水設備によって、連結送水管や消防車などの外部から継続的に給水される消防放水を水受け皿８に受け、導水管９下端部の放散カップ１０から支柱５外周に沿ってシャワー水１１を散水させるので、シャワー水１１によって支柱５が直接確実に冷却されるため、近隣火災の高熱によって支柱５が高温に曝されて熱劣化や破裂することで、球形タンク全体の倒壊などの二次被害を防止することができる。
【産業上の利用可能性】
【００２６】
上記タンクの散水設備は、近隣火災への対策や球殻体及び支柱部の冷却が望まれる球形タンクのみならず、ガス状や液体状の危険物を貯蔵する各種貯槽や各種構築物などについて消防水利用の散水設備として適用することができる。
【符号の説明】
【００２７】
１  球形タンク        
２  基版        
３  基礎        
４  球殻体          
５  支柱        
６  散水装置        
７  頂部作業床        
８  水受け皿        
９  導水管        
１０  放散カップ        
１１  シャワー水        
１２  連結送水管        
１３  消防放水        
【図１】
0005904391.tif 000002
【図２】
0005904391.tif 000003
【図３】
0005904391.tif 000004
【図４】
0005904391.tif 000005
【図５】
0005904391.tif 000006
【図６】
0005904391.tif 000007
【図７】
0005904391.tif 000008
【図８】
0005904391.tif 000009